(57)【要約】【課題】  スクリーンの端部が止着されるプレートと、プレートの前側及び後側端部を取り付ける前側及び後側取付部を備えたスクリーン吊下部材とからなるカーテン装置用スクリーン止着プレート取付機構において、スクリーンに作用する張力や振動が、プレートを回りスクリーンの止着部にまで及ぶことを防止する。【解決手段】 プレートの後側端部は横断面が前後方向に弾性変形可能なＳ字形とし、その後面には後方に開口し左右方向に延長する溝を形成し、スクリーン吊下部材の前側取付部は、プレートの前側端部を上下方向に支持する板部と、その前側端部と当接する壁部とし、後側取付部は、プレートの後側端部を挿入する箱部とし、箱部の後側壁にはプレートの溝と係合する突起を形成する。【選択図】        図１
2005207162.tif 000002
【特許請求の範囲】
【請求項１】
スクリーンの端部が止着されるプレートと、前記プレートの前側及び後側端部を取り付ける前側及び後側取付部を備えたスクリーン吊下部材とからなるカーテン装置用スクリーン止着プレート取付機構において、前記プレートの後側端部は横断面が前後方向に弾性変形可能なＳ字形であり、その後面は後方に開口し左右方向に延長する溝を備え、前記スクリーン吊下部材の前記前側取付部は、前記前側端部を上下方向に支持する板部と、前記前側端部と当接する壁部とからなり、前記後側取付部は、前記後側端部を挿入する箱部からなり、前記箱部の後側壁は前記溝と係合する突起を備え、前記スクリーン吊下部材の前記板部と前記突起の間から前記プレートの前側端部を前記板部内に挿入して前記壁部に当て、前記後側端部を弾性変形させて前記箱部に挿入すると、前記溝と前記突起は着脱可能に係合し、前記壁部と前記前側端部は前記スクリーンを挟持することを特徴とするカーテン装置用スクリーン止着プレート取付機構。
【請求項２】
箱部の前側壁は、プレートと当接して前記プレートの上下方向位置を決めることを特徴とする請求項１に記載のカーテン装置用スクリーン止着プレート取付機構。
【請求項３】
プレートのスクリーン吊下部材に入る前後方向幅は、前記スクリーン吊下部材の前側取付部の壁部と箱部後側壁間の前後方向幅と同じか又は僅かに小さい程度であることを特徴とする請求項１または２に記載のカーテン装置用スクリーン止着プレート取付機構。
【発明の詳細な説明】
【技術分野】
【０００１】
本発明は、スクリーンの端部が止着されたプレートを、カーテン装置のヘッドボックス、ボトムレール等のスクリーン吊下部材に取り付ける機構に関する。
【背景技術】
【０００２】
ヘッドボックス、ボトムレール等のスクリーン吊下部材を備えるカーテン装置において、スクリーンはプレートを介してスクリーン吊下部材に取り付ける。スクリーンの上端部及び下端部は両面接着テープ又はホッチキスを介して上側プレートの上面及び下側プレート下面に止着されてそれぞれのプレートの前端を回る。このスクリーン端部が止着されたプレートを、ヘッドボックス、ボトムレールに、側面からではなく、上面又は下面から、着脱可能に取り付ける機構は公知である。その機構は、ヘッドボックス又はボトムレールに設けた前側支持部にプレートの前側支持部を前後方向移動可能に上下方向に支持し、後側支持部にプレートの後側支持部を上下方向に支持すると共に前後方向に位置決めする方式である。
【０００３】
この方式は、スクリーン端部の回るプレートの前端が揺動可能な自由端であるため、スクリーンに作用する張力や振動が、プレートの前端を回りスクリーン端部の止着部にまで及ぶ。このため、両面接着テープ又はホッチキスを介してプレートに止着されているスクリーンの端部が、不測の張力又は振動もしくはその双方により、プレートから剥離するおそれがある。
【特許文献１】特許第３４３５３６６号公報
【発明の開示】
【発明が解決しようとする課題】
【０００４】
本発明は、上記問題を解決するためになされたものであり、その課題は、スクリーンの端部が止着されたプレートを、カーテン装置のヘッドボックス、ボトムレール等のスクリーン吊下部材に、上面又は下面から、着脱可能にかつ容易に取り付ける機構であって、スクリーンに作用する張力や振動が、プレートを回りスクリーンの止着部にまで及ぶおそれのないものを提供することである。
【課題を解決するための手段】
【０００５】
前記課題を解決するため、本発明が採用する手段は、スクリーンの端部が止着されるプレートと、プレートの前側及び後側端部を取り付ける前側及び後側取付部を備えたスクリーン吊下部材とからなるカーテン装置用スクリーン止着プレート取付機構において、プレートの後側端部は横断面が前後方向に弾性変形可能なＳ字形とし、その後面には後方に開口し左右方向に延長する溝を形成し、スクリーン吊下部材の前側取付部は、プレートの前側端部を上下方向に支持する板部と、その前側端部と当接する壁部とし、後側取付部は、プレートの後側端部を挿入する箱部とし、箱部の後側壁にはプレートの溝と係合する突起を形成し、スクリーン吊下部材の板部と突起の間からプレートの前側端部を板部内に挿入して壁部に当て、後側端部を弾性変形させて箱部に挿入すると、溝と突起は着脱可能に係合するとともに、壁部と前側端部がスクリーンを挟持するようにすることである。
【発明の効果】
【０００６】
本発明のカーテン装置用スクリーン止着プレート取付機構において、スクリーンの端部が止着されたプレートの前側端部を、スクリーン吊下部材の板部と突起の間の上方又は下方に開く空隙から板部内に挿入して壁部に当て、プレート後側端部を弾性変形させて箱部に挿入すると、プレート後面の溝とスクリーン吊下部材の突起が着脱可能に係合するから、プレートは容易にスクリーン吊下部材に脱着可能に取り付けられる。このとき、スクリーン吊下部材の壁部とプレートの前側端部はスクリーンを挟持し、スクリーンに作用する張
力や振動が、プレートを回りスクリーンの止着部に及ぶことを阻止するから、プレートに両面接着テープ又はホッチキスを介して止着されているスクリーンの端部が、不測の張力又は振動もしくはその双方により、プレートから剥離するおそれはない。
【発明を実施するための最良の形態】
【０００７】
本発明のカーテン装置用スクリーン止着プレート取付機構において、スクリーンの端部
は、両面接着テープ又はホッチキスを介してプレートにその前端を回るように止着され、プレートは、ヘッドボックスにはその下面から、ボトムレールにはその上面から挿入される。プレートは、後側端部を除くと平板状である。プレートの後側端部は、横断面が前後方向に弾性変形可能なＳ字形であり、その後面には後方に開口し左右方向に延長する溝が刻設される。
【０００８】
ヘッドボックス又はボトムレールの前側取付部は、プレートの前側端部を上下方向に支持する板部と、その前側端部と当接する壁部とからなり、後側取付部は、プレートの後側端部を挿入する箱部からなり、その箱部の後側壁にはプレートの溝と係合する突起を形成する。スクリーン吊下部材の板部と突起の間からプレートの前側端部を板部内に挿入して壁部に当て、後側端部を弾性変形させて箱部に挿入すると、溝と突起は着脱可能に係合するとともに、壁部と前側端部がスクリーンを挟持するようにする。
【０００９】
ヘッドボックス又はボトムレールの壁部とプレートの前端部によるスクリーン端部挟持の信頼性を向上するために、プレートのスクリーン吊下部材内に入る前後方向幅は、スクリーン吊下部材の前側取付部の壁部と箱部後側壁間の前後方向内幅と同じか又は僅かに小さい程度であることが好ましい。箱部の前側壁をプレートと当接可能とすると、プレートの上下方向の位置を決めることができる。
【実施例】
【００１０】
本発明を図面に示す実施例に基づいて説明する。図１及び図２は、本発明機構を備えるプリーツカーテン装置の要部側面図であり、図１はプレートの着脱状態を、図２はプレートの取着後の状態をそれぞれ示す。
【００１１】
図１に示すように、スクリーン１の上端部２は、両面接着テープ又はホッチキス３を介してプレート４の上面に止着され、プレート４の前側端部５を回り垂下する。プレート４の後側端部６は、横断面が前後方向に弾性変形可能なＳ字形であるが、それ以外は平板状である。後側端部６の後面には後方に開口し左右方向に延長する溝７が刻設され、その下側は突出してつまみ８を形成する。
【００１２】
ヘッドボックス１０の前側取付部１１は、プレート４の前側端部５を上下方向に支持する板部１２と、前側端部５と当接する壁部１３とからなり、後側取付部１４は、プレート４の後側端部６を上下方向に挿入する箱部１５からなる。その箱部１５の後側壁１６にはプレート４の溝７と係合する突起１７を形成する。
【００１３】
太矢印Ａで示すように、ヘッドボックス１０の板部１２と突起１７の間の下方に開く空間からプレート４の前側端部５を板部１２内に挿入して壁部１３に当て、つまみ８を押して後側端部６を弾性変形させ、太矢印Ｂで示すように、それを箱部１５に挿入すると、溝７と突起１７が着脱可能に係合するから、プレート４のヘッドボックスへの取着は容易である。これを逆にすると、プレート４は容易にヘッドボックス１０から外れる。
【００１４】
図２に示すように、プレート４をヘッドボックス１０に取着すると、箱部１５の前側壁１８はプレート４の上面と当接し、プレート４を水平にする。つまみ８を除くプレート４の前後方向幅は、ヘッドボックス１０の壁部１３と箱部後側壁１６間の前後方向内幅と同じか又は僅かに小さい程度であるから、プレート４の前側端部５は、前端を回るスクリーン１を壁部１３に押し付けて挟持する。
【００１５】
この挟持は、スクリーン１に作用する張力やスクリーン１に生じた振動が、プレート４の上面に両面接着テープ又はホッチキス３を介して止着されているスクリーン１の上端部２に及ぶことを阻止する。したがって、不測の張力又は振動もしくはその双方により、プレート４からスクリーン１の上端部２が剥離するおそれはない。
【００１６】
実施例は、ヘッドボックスにプレートを取り付けるカーテン装置用スクリーン止着プレート取付機構であるが、上下方向を逆にすると、そのままボトムレールに適用することができる。
【図面の簡単な説明】
【００１７】
【図１】本発明機構の実施例を備えるプリ−ツカーテン装置の要部側面図であり、プレートの着脱状態を示す。
【図２】本発明機構の実施例を備えるプリーツカーテン装置の要部側面図であり、プレートの取着後の状態を示す。
【符号の説明】
【００１８】
１：スクリーン
２：上端部
３：ホッチキス
４：プレート
５：前側端部
６：後側端部
７：溝
８：つまみ
１０：ヘッドボックス
１１：前側取付部
１２：板部
１３：壁部
１４：後側取付部
１５：箱部
１６：後側壁
１７：突起
１８：前側壁
【図１】
2005207162.tif 000003
【図２】
2005207162.tif 000004